(57)【要約】  光照射パワー調整方法は、第１記録ステップと第１再生ステップと第１測定ステップとバイアスパワー決定ステップと記録パワー決定ステップとを具備する。第１記録ステップでは、記録パワーを所定の第１パワー値に固定し、バイアスパワーを所定の範囲内の複数の第２パワー値に変化させて調整用パターンが光学的情報記録媒体に記録される。第１再生ステップでは、記録された調整用パターンが再生され、再生信号が生成される。第１測定ステップでは、複数の第２パワー値に対応するアシンメトリ値が測定される。バイアスパワー決定ステップでは、アシンメトリ値に基づいて最適バイアスパワー値が決定される。記録パワー決定ステップでは、最適バイアスパワー値に基づいて最適記録パワー値が決定される。
2008096629.tif 000002
【特許請求の範囲】
【請求項１】
記録する符号のマーク部分に対応して光学的情報記録媒体に照射する光ビームの記録パワーを所定の第１パワー値に固定し、前記符号のスペース部分に対応して照射する前記光ビームのバイアスパワーを所定の範囲内の複数の第２パワー値に変化させて、調整用パターンを前記光学的情報記録媒体に記録する第１記録ステップと、
記録された前記調整用パターンを再生して再生信号を生成する第１再生ステップと、
前記再生信号に基づいて、前記複数の第２パワー値のそれぞれに対応するアシンメトリ値を測定する第１測定ステップと、
前記アシンメトリ値に基づいて、最適バイアスパワー値を決定するバイアスパワー決定ステップと、
前記最適バイアスパワー値に基づいて、最適記録パワー値を決定する記録パワー決定ステップと
を具備する
光照射パワー調整方法。
【請求項２】
前記バイアスパワー決定ステップは、
前記アシンメトリ値の最大値または最小値を求めるステップと、
前記複数の第２パワー値のうちの、前記最大値または最小値の前記アシンメトリ値を与えるパワー値に基づいて前記最適バイアスパワー値を決定するステップと
を備える
請求の範囲１に記載の光照射パワー調整方法。
【請求項３】
前記バイアスパワー決定ステップは、
前記複数の第２パワー値に対応して増加または減少する前記アシンメトリ値の増減分を算出するステップと、
前記複数の第２パワー値のうちの、前記増減分が変化する特徴点の特徴アシンメトリ値に対応するパワー値に基づいて前記最適バイアスパワー値を決定するステップと
を備える
請求の範囲１に記載の光照射パワー調整方法。
【請求項４】
前記記録パワー決定ステップは、
前記バイアスパワーを前記最適バイアスパワー値に固定し、前記記録パワーを所定の範囲内の複数の第３パワー値に変化させ、第２調整用パターンを前記光学的情報記録媒体に記録する第２記録ステップと、
前記第２調整用パターンを再生して第２再生信号を生成する第２再生ステップと、
前記第２再生信号に基づいて、前記複数の第３パワー値のそれぞれに対応する再生信号品質値を測定する信号品質測定ステップと、
前記再生信号品質値のうちの最良の再生信号品質値を求める最良品質ステップと、
前記複数の第３パワー値のうちの前記最良の再生信号品質に対応する前記第２調整用パターンを記録したパワー値を前記最適記録パワー値とする最適記録パワー決定ステップと
を備える
請求の範囲１から請求の範囲３のいずれかに記載の光照射パワー調整方法。
【請求項５】
前記記録パワー決定ステップは、予め設定される前記記録パワーと前記バイアスパワーとの対応関係を示す対応表と、前記最適バイアスパワー値と基づいて、前記最適記録パワーを決定する最適記録パワー決定ステップを備える
請求の範囲１から請求の範囲３のいずれかに記載の光照射パワー調整方法。
【請求項６】
前記光学的情報記録媒体に格納される前記対応表を読み出すステップを備える
請求の範囲５に記載の光照射パワー調整方法。
【請求項７】
記録する符号のマーク部分に対応して光学的情報記録媒体に照射する光ビームの記録パワーと、前記符号のスペース部分に対応して照射する前記光ビームのバイアスパワーとを切り替えて、前記光学的情報記録媒体に調整用パターンを記録し、記録された前記調整用パターンを再生して再生信号を生成する光ヘッド部と、
前記記録パワーを所定の第１パワー値に固定し、前記バイアスパワーを所定の範囲内の複数の第２パワー値に変化させて設定する制御手段と、
前記再生信号に基づいて、前記複数の第２パワー値のそれぞれに対応するアシンメトリ値を測定するアシンメトリ測定手段と、
前記アシンメトリ値に基づいて最適バイアスパワー値を決定するバイアスパワー決定手段と、
前記最適バイアスパワー値に基づいて、前記記録パワーの最適値である最適記録パワー値を決定する記録パワー決定手段と
を具備する
光学的情報記録再生装置。
【請求項８】
前記バイアスパワー決定手段は、前記アシンメトリ値の最大値または最小値を求め、前記複数の第２パワー値のうちの前記最大値または最小値の前記アシンメトリ値を与えるパワー値に基づいて最適バイアスパワー値を決定する
請求の範囲７に記載の光学的情報記録再生装置。
【請求項９】
前記バイアスパワー決定手段は、前記複数の第２パワー値に対応して増加または減少する前記アシンメトリ値の増減分を算出し、前記複数の第２パワー値のうちの、前記増減分が変化する特徴点の特徴アシンメトリ値に対応するパワー値に基づいて前記最適バイアスパワー値を決定する
請求の範囲７に記載の光学的情報記録再生装置。
【請求項１０】
前記制御手段は、さらに、前記バイアスパワーを前記最適バイアスパワー値に固定し、前記記録パワーを所定の範囲内の複数の第３パワー値に変化させて設定し、
前記光ヘッド部は、設定された前記記録パワーと前記バイアスパワーとを切り替えて、第２調整用パターンを前記光学的情報記録媒体に記録し、記録された前記第２調整用パターンを再生して第２再生信号を生成し、
前記記録パワー決定手段は、前記第２再生信号に基づいて、前記複数の第３パワー値のそれぞれに対応する信号品質を測定する再生信号品質測定手段を含み、前記複数の第３パワー値のうちの、前記信号品質が最良となる前記第２調整用パターンを記録したときのパワー値を前記最適記録パワー値に決定する
請求の範囲７に記載の光学的情報記録再生装置。
【請求項１１】
前記記録パワー決定手段は、
前記バイアスパワーと前記最適記録パワー値とを関連付けて保持するデータベースと、
前記最適バイアスパワー値に基づいて前記データベースを参照して前記最適記録パワー値を決定する最適記録パワー決定手段と
を含む
請求の範囲７に記載の光学的情報記録再生装置。
【請求項１２】
前記光学的情報記録媒体に格納される前記バイアスパワーと前記最適記録パワー値とを関連付けて保持するデータベースを前記光学的情報記録媒体から読み出す
請求の範囲１１に記載の光学的情報記録再生装置。
【発明の詳細な説明】
【技術分野】
【０００１】
本発明は、レーザ光の照射により光学的情報記録媒体に情報記録／再生を行う際の光照射パワー調整方法及びその調整方法を用いた光学的情報記録再生装置に関する。なお、本出願は、日本出願番号２００７−２６７９４に基づく優先権を主張するものであり、日本出願番号２００７−２６７９４における開示内容は引用により本出願に組み込まれる。
【背景技術】
【０００２】
レ−ザ光を用いてデータの読み書きが行われる光学的情報記録媒体（以下光ディスク）は、高い記録密度を有し、大容量の記録が可能である。また、非接触で動作するため、高速なアクセスが可能であり、大容量のメモリとして実用化が進んでいる。光ディスクは、再生のみ可能な再生専用型、１回のみの記録が可能な追記（ライトワンス）型、及び、ユ−ザ側で繰り返し記録が可能な書き換え型に分類される。【０００３】
光学的情報記録再生装置（以下光ディスク装置）は、再生専用型の光ディスクでは、光ディスクに形成された凹凸のピットからの反射光量の変化を利用して再生信号を検出している。また、ライトワンス型の光ディスクでは、光ディスク装置は、光ディスクに形成された微小ピットからの反射光量の変化、或いは光ディスク内に設けられた相変化記録膜の相変化による反射光量の変化を利用して再生信号を検出している。【０００４】
現在、市場で使用されているライトワンス型光ディスクには、ＣＤ−Ｒ（Ｃｏｍｐａｃｔ  Ｄｉｓｃ−Ｒｅｃｏｒｄａｂｌｅ）、ＤＶＤ−Ｒ（Ｄｉｇｉｔａｌ  Ｖｅｒｓａｔｉｌｅ  Ｄｉｓｃ−Ｒ）、ＤＶＤ＋Ｒ等があり、これらは有機色素をベースにした記録部材が多く用いられている。さらに、書き込み、読み出しを行うためのレーザ光源として、波長が７８０ｎｍ〜６５０ｎｍ程度の半導体レーザが使用されている。これらの光ディスクは、記録再生用のレーザ光の波長よりも短波長側に吸収極大を持つ有機色素部材が使用される。この有機色素部材は、照射されたレーザ光により形成される記録マーク部分の光反射率がレーザ光照射前の光反射率よりも低くなるいわゆるＨ／Ｌ（Ｈｉｇｈ−ｔｏ−Ｌｏｗ）の特性を有する。その記録マーク部分の形成には、樹脂基板の変形（形状変化）が利用されている。即ち、レーザ光の照射によって樹脂基板が転移点以上に加熱され、有機色素が分解して負圧を生じて樹脂基板が変形し、記録マーク部分が形成される。【０００５】
さらに、高密度化した次世代光ディスク（ＨＤ  ＤＶＤ、ＢＤ）では、光源として波長が４００〜４１０ｎｍ程度のレーザ光（短波長レーザ）が用いられ、光ディスクへの読み出し、書き込みが行われる。このような短波長レーザ用に現在開発されているライトワンス型光ディスクの記録層には、大きく分類すると、無機系部材を用いたものと有機色素系部材を用いたものがある。無機系部材が用いられたライトワンス媒体とその記録方法は、例えば、特開２００５−１１６０５８号公報に開示されている。有機色素系部材を用いたライトワンス媒体は、例えば、特開２００５−２９７４０７号公報に開示されている。【０００６】
照射されたレーザ光により形成された記録マーク部分の反射率は、無機系部材の場合、レーザ光照射前の反射率よりも低くなるＨ／Ｌ（Ｈｉｇｈ−ｔｏ−Ｌｏｗ）の特性を有し、有機色素系部材の場合、記録マーク部分の反射率が高くなるＬ／Ｈ（Ｌｏｗ−ｔｏ−Ｈｉｇｈ）の特性を有する。【０００７】
書き換え型光ディスクには、ＣＤ−ＲＷ、ＤＶＤ−ＲＷ、ＤＶＤ＋ＲＷ、ＤＶＤ−ＲＡＭ等がある。これらの書き換え型光ディスクは、消去しつつ記録ができるダイレクトオーバーライト（単にオーバーライトとも言う）記録ができる媒体である。レーザ光は、記録に関わる記録パワーと消去に関わる消去パワーとを切り替えてこれらの媒体に対して照射される。マーク部分およびスペース部分に応じてこの光照射パワーが切り替えられ、情報の記録が行われる。【０００８】
ここで、記録時の光照射パワーの変化を示す記録波形に関して説明する。図１Ａ〜１Ｅには、複数の照射パワーレベルを有する記録時の光照射波形の例が示される。図１Ａに、マーク部分及びスペース部分を示す入力信号の波形例が示される。マーク部分を形成するときの波形は、記録パワーを時間的に分割してパルス状に印加するパルストレイン形状となる場合と、矩形状を基本として記録パワーを印加する場合がある。図１Ｂには、３種類の照射パワーを有するパルストレイン形状の記録波形例が示される。記録時の最小パワーレベルがボトムパワーＰｂであり、それより高い照射パワーレベルの記録パワーＰｗがマーク部分に対応してパルス状に印加され、スペース部に対応して一定の照射パワーが印加される。このスペース部分に対応する一定の照射パワーは、オーバーライト媒体に対しては既マークを消去するため、記録パワーとは分けて消去パワーＰｅと称する。ただし、消去機能を持たない場合や一般呼称としてバイアスパワーと称す場合もある。図１Ｃには、２種類のパワーからなるパルストレイン型の光照射波形例が示される。従来、非オーバーライト記録に対応する波形として用いられてきた。マーク部分を形成するときには記録パワーＰｗがパルス状に印加されている。バイアスパワーとボトムパワーとが同じパワーレベルのバイアスパワーとなっている。図１Ｄには、２種類のパワーレベルを有する矩形型の波形例が示され、マーク部分を形成するときには記録パワーＰｗが矩形状に印加されている。図１Ｅには、４種類のパワーレベルを有する波形例が示され、マーク部分を形成するときには記録パワーＰｗ１〜３が両耳付きの矩形状に印加されている。【０００９】
非マーク部分（スペース部分）に関しても形状の組み合わせは幾つかあるが、その機能において、オーバーライト媒体でのスペース部分に照射するパワーは、既マークを消去することを目的としている。一方、ライトワンス型の媒体では、スペース部分は消去を必要としない。そのため、スペース部分においては、光ビームを光ディスクに追従させる程度の光量があればよく、その役割は先の場合と異なる。なお、特開２００５−２９７４０７号公報には、高密度化した次世代光ディスク用として、スペース部分にバイアスパワーを持ち、記録パワーとバイアスパワーとを含む複数のパワーレベルを印加する記録波形が示されている。【００１０】
次に、パワー調整に関する従来技術について述べる。記録パワーの調整に関して、例えば、追記型の媒体であるＤＶＤ−Ｒでは、光ディスク装置は、光ディスクの記録領域の一部に設定された記録パワーを調整する領域（ＰＣＡ：Ｐｏｗｅｒ  Ｃａｌｉｂｒａｔｉｏｎ  Ａｒｅａ）を使用して、記録パワーの調整（ＯＰＣ：Ｏｐｔｉｍｕｍ  Ｐｏｗｅｒ  Ｃｏｎｔｒｏｌ）を適宜行うようになっている。ＨＤ  ＤＶＤ−ＲやＨＤ  ＤＶＤ−ＲＷでは、光ディスク装置が自由に使用できるドライブテストゾーンが存在する。光ディスク装置は、これを利用して記録パワーを含め、各種パラメータの調整を行う。【００１１】
さらに、書き換え型光ディスクにおける消去パワーの調整方法は、特開２００３−２２８８４７号公報や特開２００４−２７３０７４号公報等に開示されている。特開２００３−２２８８４７号公報に開示されている最適消去パワーを決める方法では、まず、γ法により決められた記録パワーまたはそれ以上のパワーで１１Ｔ信号が記録される。次に、ＤＣ消去パワー（直流光）を変化させながら複数段階の消去パワーのレーザ光が照射される。そのときの信号の残存信号振幅が測定されて最適消去パワーが決められる。【００１２】
また、特開２０００−２３１７２７号公報には、照射パワーを調整する方法として、選定指標にＢＥＲ（Ｂｉｔ  Ｅｒｒｏｒ  Ｒａｔｅ）を用いること、アシンメトリは小さい方が望ましいこと、バイアスパワーとピークパワーとの調整順番はどちらから調整してもよいことが示されている。【００１３】
パワー調整に利用する性能指標に関しても種々ある。例えば、記録再生された信号のジッタやエラーレートが性能指標として用いられる。また、β法では、長いマークの再生振幅と短いマークの再生振幅からアシンメトリを検査して求められたβ値が性能指標となる。γ法では、記録マーク振幅の飽和の程度から状態が判断される。このうち、β法では、例えば、β値とエラー量との相関を光ディスクと光ディスク装置との間で予め求めておき、β値を性能指標として用いる。ライトワンス型の媒体では、β値が記録パワーに対して大きく変化するため、性能指標として扱いやすく、多く用いられている。しかし、その値は、概ねゼロがよいとされるが、必ずしもゼロが最良性能とはならない。例えば、β値としてゼロから多少ずれた＋０．０５や−０．０７等の値がよい場合もある。したがって、β値はエラー量との相関から、その絶対値により示される性能は異なることになる。【００１４】
さらに、高密度の光ディスクに対する性能指標としてＰＲＳＮＲ（Ｐａｒｔｉａｌ  Ｒｅｓｐｏｎｓｅ  ＳＮＲ）がある。ＰＲＳＮＲとはジッタに代わる信号品質評価指標であり、この値が高ければ高いほど信号品質は優れていると言うことができる。さらに、ＰＲＳＮＲは、エラーレートへの換算も可能である。この換算も含め詳細は、「Ｊａｐａｎｅｓｅ  Ｊｏｕｒｎａｌ  ｏｆ  Ａｐｐｌｉｅｄ  Ｐｈｙｓｉｃｓ  Ｖｏｌ．４３，  Ｎｏ．７Ｂ，  ２００４，  ｐｐ．４８５９−４８６２  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｓ．ＯＨＫＵＢＯ  ｅｔ  ａｌ」を参照されたい。【００１５】
また、特開２００２−１９７６６０号公報において、ＰＲＭＬ検出を用いた場合におけるアシンメトリに相当する検出手段が開示されている。これによれば、最短マークのみならず、最短マークの代わりに、最短マークの次に長いマーク（スペース）を用いてアシンメトリを算出することも可能である。また、特開２００４−１１０９９３号公報には、アシンメトリ値を用いた記録パワーの選定方法が開示されている。【００１６】
また、特開２００２−２３０７７０号公報には、記録パルス波形制御により、光ディスクへの記録条件の調整を行う方法が開示されている。さらに、特開平１０−６４０６４号公報には、アシンメトリ値、変調度、エラーレートを性能指標とした書き込みパワー、消去パワー、ボトムパワーの決定方法が開示されている。また、特開平１０−１２４８７６号公報には、アシンメトリ量に基づいて穴あけ追記型光ディスクの記録光量の決定方法が開示されている。【００１７】
従来使用されているディスク媒体、つまり波長６５０ｎｍ程度よりも長い波長領域のレーザ光により記録再生を行う有機色素を記録層としたライトワンス型光ディスク媒体においては、スペースに対応させたパワーは不要であった。これは、オーバーライトする必然がないことによる。逆に、オーバーライトできないことは、データの書き換え改ざんができないという利点でもあった。【００１８】
これに対して、近年開発されている短波長レーザ（波長４０５ｎｍ近傍）を用いて記録再生を行うライトワンス型光ディスク媒体（以下短波長用ライトワンス媒体）では、記録時の光パワーとして、少なくとも３種類のパワーレベルが必要である。マーク部分に対応させた記録パワーと、特にスペース部分に対応させた照射パワーで従来よりも高いバイアスパワーとが必要である。記録品質は、マーク部分に対応する記録パワーに依存するだけでなく、スペース部分に対応するバイアスパワーによっても大きく影響を受けることが分かっている。つまり、短波長用ライトワンス媒体の記録品質は、記録パワーおよびバイアスパワー双方に依存して変化するため、バイアスパワーの調整が重要である。従来、ライトワンス型光ディスク媒体に対しては２種類のパワーレベルからなる記録波形で記録が行われていたが、記録マーク品質には、マーク部分に対応するパワーのみが影響していた。そのため、スペース部に対応するパワーはビーム走査が外れない程度に発光されていればよく、むしろその影響を小さくするために、あまり大きく（高く）ならないように調整されていた。一方、短波長レーザ対応のライトワンス型光ディスク媒体では、スペース部分に対応して照射されるバイアスパワーは、従来バイアスパワーよりも高く、形成される記録マーク品質に影響を与える。したがって、従来とはバイアスパワーの効果が異なるので、バイアスパワーの効果及び、バイアスパワーを含めた記録時光パワーの調整方法、特に、調整手順に関しては何ら述べられていなかった。したがって、従来のように記録パワーだけを調整しても短波長用ライトワンス媒体における最高の記録品質を得ることはできない。【００１９】
さらに、近年開発されている短波長レーザを用いて記録再生を行う光ディスク媒体及び光ディスク装置では、各パラメータへの要求精度が高く、特に情報の記録を行う際の記録パラメータは従来以上に精度が求められ、最適値に合わせる必要がある。このため、調整対象やパラメータが増加し、調整時間増加が課題となっている。このような状況において、記録パワーとバイアスパワーとの全ての組み合わせに対して記録再生を試行して調整することも考えられるが、調整時間が増加し、多くの調整領域が消費されるため、必ずしもよい解決策とはならない。【００２０】
また、スペース部分に対応する光パワーの決定においてもライトワンス型の媒体であるため、既に記録されたマーク部分を消去してスペース部分に対応する光パワーを求めるという手法では解決できない。【００２１】
パワー決定の評価尺度に関して、記録パワーの決定には、β法やγ法、エラー数、ＰＲＳＮＲといった複数の方法が用いられ、消去パワーやバイアスパワーの決定には、記録された信号の残存信号振幅が用いられる。このように、複数の異なる方法を用いて光パワーを決定する処理は、煩雑な処理とならざるを得ない。しかもその影響は、検出ハードウェアの増加、装置を制御するコントロールプログラム（コントロールファームウェア）の増大を招き、大きな問題となっている。
【発明の開示】
【００２２】
以上説明したように、調整時間を低減しつつ高精度、高確度に有効性高く記録時の光照射パワーを調整できる共通性の高い方法、さらに装置コストを抑え、装置資源低減につながる方法の開発の必要性が高まっている。
【００２３】
本発明の目的は、光ビーム照射により記録マークが形成されるライトワンス記録媒体に記録する時の光照射パワーを高確度に調整し、かつ、調整時間および調整領域を低減できる光学的情報記録媒体の光照射パワー調整方法および光学的記録再生装置を提供することにある。
【００２４】
本発明の観点では、光照射パワー調整方法は、第１記録ステップと、第１再生ステップと、第１測定ステップと、バイアスパワー決定ステップと、記録パワー決定ステップとを具備する。第１記録ステップでは、記録する符号のマーク部分に対応して光学的情報記録媒体に照射する光ビームの記録パワーを所定の第１パワー値に固定し、符号のスペース部分に対応して照射する光ビームのバイアスパワーを所定の範囲内の複数の第２パワー値に変化させて、調整用パターンが光学的情報記録媒体に記録される。第１再生ステップでは、記録された調整用パターンが再生され、再生信号が生成される。第１測定ステップでは、再生信号に基づいて、複数の第２パワー値のそれぞれに対応するアシンメトリ値が測定される。バイアスパワー決定ステップでは、アシンメトリ値に基づいて、最適バイアスパワー値が決定される。記録パワー決定ステップでは、最適バイアスパワー値に基づいて、記録パワーの最適値である最適記録パワー値が決定される。
【００２５】
本発明の他の観点では、光学的情報記録再生装置は、光ヘッド部と、制御手段と、アシンメトリ測定手段と、バイアスパワー決定手段と、記録パワー決定手段とを具備する。光ヘッド部は、記録する符号のマーク部分に対応して光学的情報記録媒体に照射する光ビームの記録パワーと、符号のスペース部分に対応して照射する光ビームのバイアスパワーとを切り替えて、光学的情報記録媒体に調整用パターンを記録する。さらに、光ヘッド部は、記録された調整用パターンを再生して再生信号を生成する。制御手段は、記録パワーを所定の第１パワー値に固定し、バイアスパワーを所定の範囲内の複数の第２パワー値に変化させて設定する。アシンメトリ測定手段は、再生信号に基づいて、複数の第２パワー値のそれぞれに対応するアシンメトリ値を測定する。バイアスパワー決定手段は、アシンメトリ値に基づいて最適バイアスパワー値を決定する。記録パワー決定手段は、最適バイアスパワー値に基づいて、記録パワーの最適値である最適記録パワー値を決定する。
【００２６】
本発明によれば、光ビーム照射により記録マークが形成されるライトワンス記録媒体に記録する時の光照射パワーを高確度に調整し、かつ、調整時間および調整領域を低減できる光学的情報記録媒体の光照射パワー調整方法および光学的記録再生装置を提供することができる。
【図面の簡単な説明】
【００２７】
上記発明の目的、効果、特徴は、添付される図面と連携して実施の形態の記述から、より明らかになる。
【図１】図１Ａ〜１Ｅは、記録時の発光波形例を示す図である。
【図２】図２は、Ｈ／Ｌ媒体におけるＰＲＳＮＲの記録パワー依存性を測定した結果を示す図である。
【図３】図３は、ＰＲＳＮＲが最大となる記録パワーＰｗとバイアスパワーＰｂとを組み合わせて測定された２Ｔアシンメトリ値をプロットした図である。
【図４】図４は、記録パワーＰｗをパラメータとして、バイアスパワーＰｂと２Ｔアシンメトリ値との関係を測定した結果を示す図である。
【図５】図５は、バイアスパワーＰｂをパラメータとして、記録パワーＰｗとＰＲＳＮＲとの関係を測定した結果を示す図である。
【図６】図６は、Ｌ／Ｈ極性の媒体において、記録パワーＰｗをパラメータとして、バイアスパワーＰｂと２Ｔアシンメトリ値との関係を測定した結果を示す図である。
【図７】図７は、バイアスパワーＰｂをパラメータとして、記録パワーＰｗとＰＲＳＮＲとの関係を測定した結果を示す図である。
【図８】図８は、記録パワーＰｗが１０．５ｍＷのときのバイアスパワーＰｂと２Ｔ及び３Ｔパターンに対応したアシンメトリ値との関係を測定した結果を示す図である。
【図９】図９は、他のＬ／Ｈ媒体において、記録パワーＰｗを固定してバイアスパワーＰｂとアシンメトリ値及びＰＲＳＮＲとの関係を測定した結果を示す図である。
【図１０】図１０は、本発明の実施の形態に係る情報記録再生装置の構成を示すブロック図である。
【図１１】図１１は、本発明の実施の形態に係るパラメータ調整器の構成を示すブロック図である。
【図１２】図１２Ａ〜１２Ｃは、本発明の第１の実施の形態に係る記録時光照射パワー調整方法の手順を示す図である。
【図１３】図１３は、記録パワーを固定し、バイアスパワーとアシンメトリ値との関係を測定した結果を示す図である。
【図１４】図１４は、バイアスパワーを固定し、記録パワーとアシンメトリ値及びＰＲＳＮＲとの関係を測定した結果を示す図である。
【図１５】図１５Ａ〜１５Ｃは、本発明の第２の実施の形態に係る記録時光照射パワー調整方法の手順を示す図である。
【図１６】図１６は、バイアスパワーと２Ｔに対応したアシンメトリ値との関係を測定した結果を示す図である。
【図１７】図１７は、バイアスパワーを固定し、記録パワーとＰＲＳＮＲとの関係を測定した結果を示す図である。
【図１８】図１８Ａ〜１８Ｃは、本発明の第３の実施の形態に係る記録時光照射パワー調整方法の手順を示す図である。
【図１９】図１９は、換算表の一例を示す図である。
【図２０】図２０は、記録パワーを固定し、バイアスパワーとアシンメトリ値との関係を測定した結果を示す図である。
【図２１】図２１は、本発明の第３の実施の形態に係る補正値を含む換算表の一例を示す図である。
【図２２】図２２は、本発明の第４の実施の形態に係る記録パワーを固定し、バイアスパワーとアシンメトリ値との関係を測定した結果を示す図である。
【図２３】図２３は、選定されたバイアスパワー（４．０ｍＷ）における記録パワーとアシンメトリ値及びＰＲＳＮＲとの関係を測定した結果を示す図である。
【図２４】図２４は、バイアスパワーを４．５ｍＷとしたときの記録パワーとアシンメトリ値及びＰＲＳＮＲとの関係を測定した結果を示す図である。
【図２５】図２５Ａ〜２５Ｃは、本発明の実施の形態に係る記録時の発光波形を示す図である。
【発明を実施するための最良の形態】
【００２８】
まず、収集したデータに基づいて、本発明の原理を説明する。データを収集した光学的情報記録再生装置（以下光ディスク装置）は、ＬＤ（レーザダイオード）波長４０５ｎｍ、ＮＡ（Ｎｕｍｅｒｉｃａｌ  Ａｐｅｒｔｕｒｅ：開口数）０．６５である光ヘッドを備える。光ディスクは、直径１２０ｍｍ、０．６ｍｍ厚のポリカーボネイト基板上に、イングルーブフォーマット用の案内溝が設けられている。光ディスク上に記録されるデータの密度は、ビットピッチ０．１５３μｍ、トラックピッチ０．４μｍである。記録膜に短波長用の有機色素記録膜を用いた媒体（Ｌ／Ｈ媒体）と、同じく短波長対応の無機記録膜（Ｈ／Ｌ媒体）を用いた媒体とが使用された。これらの媒体は、１回だけ記録が可能なタイプ（ライトワンス）の媒体である。変復調符号としては（１，７）ＲＬＬ（Ｒｕｎ  Ｌｅｎｇｔｈ  Ｌｉｍｉｔｅｄ）をベースとしたＥＴＭ（Ｅｉｇｈｔ  ｔｏ  Ｔｗｅｌｖｅ  Ｍｏｄｕｌａｔｉｏｎ）符号が用いられた。【００２９】
図２に、Ｈ／Ｌ媒体におけるＰＲＳＮＲの記録パワーＰｗ依存性を測定した結果の一例が示される。このときのパラメータは、バイアスパワーＰｂである。図２から分かるように、ＰＲＳＮＲが最大となる記録パワーＰｗの値は、バイアスパワーＰｂにより異なっている。即ち、Ｐｂ＝２．７ｍＷのときＰｗ＝９．２においてＰＲＳＮＲが最大となる。Ｐｂ＝３．３ｍＷのときＰｗ＝９．０ｍＷにおいてＰＲＳＮＲが最大となる。Ｐｂ＝３．９ｍＷのときＰｗ＝８．８ｍＷにおいてＰＲＳＮＲが最大となる。Ｐｂ＝４．５ｍＷのときＰＷ＝８．８ｍＷにおいてＰＲＳＮＲが最大となる。Ｐｂ＝５．１ｍＷのときＰｗ＝８．６ｍＷにおいてＰＲＳＮＲが最大となる。このことから、バイアスパワーＰｂをラフに選定すると、記録パワーＰｗはＰＲＳＮＲ値を評価指標として高速、高精度に選定され難いことが分かる。【００３０】
バイアスパワーＰｂと、そのバイアスパワーＰｂにおいてＰＲＳＮＲ値が最大となるときの記録パワーＰｗとを組み合わせて２Ｔアシンメトリ（２Ｔβ）を測定した結果が、図３に示される。２Ｔβ値は、バイアスパワーＰｂ（記録パワーＰｗ）に対応して別々の値になり、同一値とならないことがわかる。このことから、単純にアシンメトリ値に基づいて記録パワーを高速に選定することが困難であることがわかる。ここでは、横軸にバイアスパワーＰｂをプロットしたが、記録パワーＰｗをプロットしても同じことがいえる。【００３１】
図４には、記録パワーＰｗをパラメータにした時のバイアスパワーＰｂの変化に対する２Ｔアシンメトリ値（２Ｔβ）の測定結果が示される。図４から分かるように、２Ｔβの絶対値は異なっているが、どの記録パワーＰｗにおいてもバイアスパワーＰｂが４．５ｍＷのときに、２Ｔβが最大になることがわかる。【００３２】
このバイアスパワーＰｂに対してアシンメトリ値が変化する現象に関して説明する。光ディスクでは、主に記録層物質が状態変化や化学変化を起こすことにより、マーク部分が形成される。その変化は、ある特定の温度（マーク形成到達温度）を超えると起きる。アシンメトリ値の変化は、スペース部分に対応するバイアスパワーによってスペース部分の反射率が特定の温度を境にマークへと変化する状態変化過程を示している。つまり、マーク形成到達温度を境にスペース部分の反射率の変化がそれまでのスペース部分の反射率極性とは逆の反射率極性に転じるため、反射光の振幅に変化を生じさせ、アシンメトリ変化を起こすということである。また、照射時間が同じであっても記録パワーＰｗの違いによりマーク形成到達温度を超えてマーク部分が形成される光ディスクの領域の大きさが異なるため、再生時に振幅の大きさの違いとなって、短マークと長マークとのバランスを示すアシンメトリの絶対値を変えることになる。しかし、マーク部分の大きさによらず（記録パワーＰｗに関係なく）、スペースからマークへの遷移は、同じバイアスパワーＰｂで生じるため、各々の媒体に固有なバイアスパワーＰｂでアシンメトリ値の反転が生じることになる。【００３３】
マーク形成するときにバイアスパワーの調整が必要となる媒体において、このような現象が顕著に現れることが分かった。すなわち、バイアスパワーが単に低い方がよいとか、なるべく高い方がよいとかいうような程度のマーク形成への関与ではなく、スペース部分のバイアスパワーが記録品質に大きく影響するようなバイアスパワーの関与がある媒体は、バイアスパワーを調整しなければ記録品質が劣化する。なお、特定の温度を境に変化するスペース部分の反射率は、必ずしも逆に転じるのではなく、振幅変化の割合が変わる場合もある。いずれの場合にも、特定の温度を境にアシンメトリの変化を引き起こすという点は同一である。【００３４】
図５には、バイアスパワーＰｂをパラメータとして、記録パワーＰｗとＰＲＳＮＲとの関係を測定した結果が示される。図４では、どの記録パワーＰｗにおいてもバイアスパワーＰｂが４．５ｍＷのときにアシンメトリ２Ｔβが最大値となっていたが、図５からバイアスパワーＰｂが４．５ｍＷ、記録パワーＰｗが８．８ｍＷのときに、最良のＰＲＳＮＲ性能が得られることがわかる。【００３５】
有機色素を用いた媒体における測定結果を以下に示す。図６には、記録パワーＰｗをパラメータとして、バイアスパワーＰｂと２Ｔアシンメトリ値２Ｔβとの関係を測定した結果が示される。この場合も同じように、バイアスパワーＰｂが３．５ｍＷにおいて、２Ｔアシンメトリ値２Ｔβは最小となる。なお、マーク部分、スペース部分の反射率の対応関係が、先に説明された記録層が無機系の場合とは逆になっているため、バイアスパワーＰｂに対するアシンメトリ値２Ｔβの変化の仕方は逆になる。したがって、バイアスパワーＰｂの変化に対してアシンメトリ値２Ｔβは最小値をもつことになる。このように、反射率の変化は逆となるが、Ｈ／Ｌ媒体と同じように、スペース部分が特定の温度において反射率の変化が反転することから、振幅変化を起こしてアシメトリ変化を起こすという現象は先の場合と同じであることが確認できる。【００３６】
図７には、バイアスパワーＰｂをパラメータとして、記録パワーＰｗとＰＲＳＮＲとの関係を測定した結果が示される。図６では、２Ｔアシンメトリ値２ＴβはバイアスパワーＰｂが３．５ｍＷにおいて最小になっていたが、図７に示されるように、バイアスパワーＰｂが３．５ｍＷの時に、記録パワーＰｗが１０．５ｍＷにおいて最良のＰＲＳＮＲ性能が得られることがわかる。【００３７】
さらに、媒体によっては、アシンメトリ値の最大、最小から少しずれたバイアスパワーＰｂにおいて、性能がより向上する場合がある。このような場合、アシンメトリ値が最大又は最小になるバイアスパワーＰｂを基にして、媒体に対応してバイアスパワーＰｂを調整することにより、高速に最適なバイアスパワーＰｂを決定することができる。若しくは、アシンメトリ値が最大又は最小になるバイアスパワーＰｂを中心として、より詳細にバイアスパワーＰｂを探索することにより、さらに高精度にバイアスパワーＰｂを決定できる。この時、バイアスパワーＰｂの変化量を狭く（小さく）して行うことが好ましい。このようにすると、広い範囲でバイアスパワーＰｂを変化させた場合よりも、より高精度かつ高速にバイアスパワーＰｂの選定ができる。【００３８】
また、アシンメトリに関しても、必ずしも最短マークスペースに対応するアシンメトリ値２Ｔβである必要はない。図８に示されるように、最短マークの次に長いマークに対応したアシンメトリ値によっても検出可能であることが分かった。図８には、Ｌ／Ｈ媒体において、記録パワーＰｗを１０．５ｍＷとした時のバイアスパワーＰｂとアシンメトリ値との関係を測定した結果が示される。アシンメトリとして、２Ｔのアシンメトリ値２Ｔβと、ＥＴＭにおいて２Ｔの次に長いマークスペースとなる３Ｔのアシンメトリ値３Ｔβとがプロットされる。３Ｔアシンメトリ値３Ｔβであっても、２Ｔアシンメトリ値２Ｔβと同じような振る舞いを示すことが分かる。【００３９】
図９には、図８において測定に使用された媒体とは別のＬ／Ｈ媒体における測定結果が示される。同じように、一定の記録パワーＰｗにおいて、バイアスパワーＰｂとアシンメトリ値及びＰＲＳＮＲとの関係が測定された。このときのアシンメトリとして２Ｔアシンメトリ値２Ｔβがプロットされている。ＰＲＳＮＲが最良（最大）となるとき、アシンメトリ値は最小になっていないが、バイアスパワーＰｂが３．５ｍＷの時に振幅変化の割合が変わっている。この振幅変化の割合が変わることから、アシンメトリが変化してＰＲＳＮＲが最大となっていることがわかる。【００４０】
以上のように、記録パワーＰｗがラフに選定されていても、アシンメトリ値（２Ｔアシンメトリ値２Ｔβ又は３Ｔアシンメトリ値３Ｔβ）を指標として、バイアスパワーＰｂを求めることが可能である。そのバイアスパワーＰｂに固定して、記録パワーＰｗが求められる。このようにバイアスパワーＰｂと記録パワーＰｗとを設定することにより、記録時の光照射パワーが高速かつ精度よく求められることが分かる。【００４１】
また、段階的に変化させたバイアスパワーＰｂのそれぞれに対応する再生信号のアシンメトリ値が、最大または最小となるときのバイアスパワー値、若しくはバイアスパワーＰｂの変化に対するアシンメトリ値の増加又は減少の変化量が変わる（バイアスパワーＰｂに対してアシンメトリ値の変化の傾きが変わる）ときのバイアスパワーＰｂに基づいて、最適バイアスパワー値が決定できることが分かる。【００４２】
次に、図面を参照して、本発明を実施するための最良の形態を詳細に説明する。図２５Ａ〜図２５Ｃに、本発明の実施の形態に係る記録ストラテジ例が示される。図２５Ａに、マーク部分及びスペース部分を示す入力信号の波形例が示される。図２５Ｂは３種類のパワーレベルを有するパルストレイン型記録ストラテジを示し、図２５Ｃは矩形型記録ストラテジを示す。ボトムパワーＰｂｔは、本発明に影響を与えないため、情報記録再生装置が設定可能な最小パワー値である０．１ｍＷがボトムパワー値に設定される。【００４３】
図１０に、本発明の第１の実施の形態に係る情報記録再生装置の概略図が示される。この情報記録再生装置は、スピンドル駆動系９、光ヘッド部２０、ＲＦ回路部３、復調器４、システムコントローラ５、パラメータ調整器３０、変調器６、ＬＤ駆動部７、サーボコントローラ８を具備する。【００４４】
スピンドル駆動系９は、光ディスク１０を駆動する。光ヘッド部２０は、レーザダイオード（ＬＤ）２６、対物レンズ２８、ビームスプリッタ２５、光検出器２２を備える。光ヘッド部２０は、レーザダイオード２６から対物レンズ２８を介して光ディスク１０に光を照射し、光ディスク１０からの反射光を光検出器２２により検出する。ビームスプリッタ２５は、レーザダイオード２６からの光を対物レンズ２８に反射させるとともに光ディスク１０からの反射光を光検出部２２に通過させる。【００４５】
ＲＦ回路部３は、入力信号にフィルタリング等の処理を行う。復調器４は、入力信号を復調する。システムコントローラ５、装置全体の統括を行なう。パラメータ調整器３０は、パワー等のパラメータ調整と再生信号性能の判定を執り行う。変調器６は、記録すべき信号を変調する。ＬＤ駆動部７は、光ヘッド部２０のレーザダイオード２０を駆動する。サーボコントローラ８は、サーボ信号をコントロールする。【００４６】
図１１に、パラメータ調整器３０の構成が示される。パラメータ調整器３０は、アシンメトリ測定部３２、信号品質測定部３４、バイアスパワー決定部３６、記録パワー決定部３８を備える。パラメータ調整器３０の各部は、システムコントローラ５により制御される。システムコントローラ５は、各部に初期設定値を設定し、測定結果及び決定値を受け取る。【００４７】
アシンメトリ測定部３２は、ＲＦ回路３から出力される信号に基づいてアシンメトリ値を算出する。信号品質測定部３４は、ＲＦ回路３から出力される信号に基づいてＰＲＳＮＲまたはエラーレートを計算する。バイアスパワー決定部３６は、アシンメトリ測定部３２で算出されたアシンメトリ値及び信号品質測定部３４で算出されたＰＲＳＮＲまたはエラーレートに基づいてバイアスパワーを決定する。記録パワー決定部３８は、アシンメトリ測定部３２で算出されたアシンメトリ値及び信号品質測定部３４で算出されたＰＲＳＮＲまたはエラーレートに基づいて記録パワーを決定する。バイアスパワー決定部３６で決定されたバイアスパワーＰｂ及び記録パワー決定部３８で決定された記録パワーＰｗは、ＬＤ駆動部７に出力される。【００４８】
この情報記録再生装置において、バイアスパワーＰｂ及び記録パワーＰｗを調整する動作が図１２Ａ〜１２Ｃを参照して説明される。この情報記録再生装置では、光ディスク１０が装填された後、光ディスク１０のディスク種類が判別され、光ディスク１０のドライブテストゾーンに光ヘッド部２０を移動する。このドライブテストゾーンは、情報記録再生装置がテストデータを記録再生してパラメータの調整を自由に行える領域である。情報記録再生装置は、その内の利用可能な領域を検出して光照射パワーの調整に備える。【００４９】
光ディスク１０の記録時の光照射パワー（バイアスパワーＰｂ及び記録パワーＰｗ）の調整方法では、図１２Ａに示されるように、各種情報を読み込むステップＳ１００、バイアスパワーの決定ステップＳ２００、記録パワーの決定ステップＳ３００、記録時最適光照射パワーを決定するステップＳ４００の順に処理が行われる。【００５０】
各種情報を読み込むステップＳ１００では、装填されている光ディスク１０から各種情報が読み出され、システムコントローラ５は、パワーに関する情報、最適記録パワーに相当する目標アシンメトリ値等を取り込む。各種情報は、どのフォーマットのディスクであるか、どのメーカであるか、記録可能媒体の場合、記録マークが記録されることによりマークの反射率が上がるＬｏｗ  ｔｏ  Ｈｉｇｈ媒体（Ｌ／Ｈ媒体）であるか、記録マークが記録されることにより反射率が下がるＨｉｇｈ  ｔｏ  Ｌｏｗ媒体（Ｈ／Ｌ媒体）であるか、その他、記録層の数等を含む。【００５１】
次に、バイアスパワーの決定ステップＳ２００が行われる。バイアスパワーの決定ステップＳ２００では、図１２Ｂに示されるように、まず、記録パワーは、予め定められた値に固定される（ステップＳ２１０）。この値は、予め実験が可能な媒体により校正して取得したパワーの平均的な記録パワー値であり、情報記録再生装置が記憶している設定値である。この記録パワー値は、光ディスク１０に記録されている光照射パワーに関する情報に基づいて設定されてもよい。【００５２】
記録パワーが固定された状態で、バイアスパワーを変化させながら記録が行われる（ステップＳ２２０）。変化させるバイアスパワーの中心値は、例えば、予め実験等で校正して取得されたバイアスパワーの平均値とする。また、バイアスパワーの変化範囲は、中心値の±５０％程度の範囲とし、変化幅は、０．５ｍＷ程度の刻み幅とする。このようにバイアスパワーを変化させつつ記録が行なわれる。なお、ディスク識別子（ＤｉｓｋＩＤ）等で光ディスク１０の素性がはっきりしている場合、バイアスパワーは、０．２ｍＷ程度の刻み幅で±１０％程度の範囲を変化させる等にすることにより、より高精度に調整を実施することが可能となる。なお、光ディスク１０に記録されている光照射パワーに関する情報に基づいて、バイアスパワーの中心パワー値が設定されてもよい。【００５３】
記録が完了すると、その記録された領域を再生し、アシンメトリ測定部３２は再生信号のアシンメトリ値を算出する（ステップＳ２３０）。算出されたアシンメトリ値は、記録時のバイアスパワーに対応して変化している。【００５４】
バイアスパワー決定部３６は、このアシンメトリ値の最大値又は最小値を求め、その最大値又は最小値に対応するバイアスパワーの値を選定する。または、バイアスパワー決定部３６は、このアシンメトリ値の増加量又は減少量が変化する点に対応するバイアスパワーの値を求める（ステップＳ２４０）。なお、最大値を選択するか最小値を選択するかは、光ディスク１０に予め記録されているマーク（スペース）部分の極性の情報、または、未記録部／既記録部の反射率を利用して判定する。【００５５】
バイアスパワー決定部３６は、ステップＳ２４０において選定したバイアスパワー値を最適バイアスパワー値として設定する（ステップＳ２５０）。【００５６】
次に、図１２Ａに示されるように、最適な記録パワーの決定ステップＳ３００が行われる。記録パワーの決定ステップＳ３００では、図１２Ｃに示されるように、まず、バイアスパワーは、バイアスパワーの決定ステップＳ２００において決定された最適バイアスパワー値に固定される（ステップＳ３１０）。【００５７】
その後、バイアスパワーが固定された状態で、記録パワーを変化させながら記録が行われる（ステップＳ３３０）。変化させる記録パワーの中心値は、例えば、予め実験等で校正して取得された記録パワーの平均値とする。また、記録パワーの変化範囲は、中心値の±１５％程度の範囲とし、変化幅は、０．５ｍＷ程度の刻み幅とする。このように記録パワーを変化させつつ記録が行われる。なお、記録パワーの中心値は、光ディスク１０に記録してある情報のパワー値としてもよい。また、ＤｉｓｋＩＤ等で光ディスク１０の素性がはっきりしている場合、例えば±１０％程度の範囲を０．２ｍＷ程度の刻みとする等、記録パワーの変化範囲をより狭くしたり、記録パワーの変化幅をより細かくしたりすれば、より高精度、より高速に調整を実施することが可能となる。【００５８】
記録が完了すると、その領域を再生し、アシンメトリ測定部３２は、再生信号のアシンメトリ値を算出する（ステップＳ３５０）。算出されたアシンメトリ値は、記録時の記録パワーに対応して変化している。【００５９】
この算出されたアシンメトリ値のうちの目標アシンメトリ値となる記録パワーが判別される（ステップＳ３７０）。目標アシンメトリ値は、各種情報を読み込むステップＳ１００において読み込んだ最適記録パワーに対応するアシンメトリ値である。【００６０】
記録パワー決定部３８は、ステップＳ３７０において判別された記録パワーを最適記録パワー値として設定する（ステップＳ３９０）。【００６１】
記録時最適光照射パワーを決定するステップＳ４００では、このように求められた最適バイアスパワー値及び最適記録パワー値が、光ディスク１０における記録時最適光照射パワーとしてＬＤ駆動部７に設定され、以降の記録時に適用される。【００６２】
図１３に、バイアスパワーを変化させながら固定された記録パワーで記録し、その記録領域を再生したときのアシンメトリ値の測定結果例が示される。ここでは、光ヘッド部２０は、ＬＤ波長４０５ｎｍ、ＮＡ（開口数）０．６５であった。また、光ディスク１０は、直径１２０ｍｍ、０．６ｍｍ厚のポリカーボネイト基板上に、イングルーブフォーマット用の案内溝が設けられている。記録されるデータの密度は、ビットピッチが０．１５３μｍ、トラックピッチが０．４μｍであった。この光ディスク１０は、記録膜に短波長用の有機色素記録膜が使用され、１回だけ記録が可能なタイプの媒体である。【００６３】
固定された記録パワー値は、光ディスク１０が情報として保持している記録パワー値（一定値）とし、バイアスパワーは、光ディスク１０が情報として保持しているバイアスパワー値を中心に±２ｍＷの範囲内で変化させた。アシンメトリ２Ｔβが最小になるときのバイアスパワー値が最適であるとすると、図１３に示されるように、バイアスパワーＰｂは３．２ｍＷが最適バイアスパワー値であることが分かる。【００６４】
次に、上記のように求めた最適バイアスパワー値を用い、情報記録再生装置が情報として保持している平均的な記録パワー値を中心として記録パワーを変化させて記録する。その記録された領域を再生してアシンメトリ値を測定した結果が図１４に示される。ここでは、記録パワーＰｗを９．５ｍＷから１２．５ｍＷまで０．５ｍＷ幅で変化させ、２Ｔアシンメトリ（２Ｔβ）、３Ｔアシンメトリ（３Ｔβ）が測定された。各種情報の読み込みステップ１００において得られた情報によると、最適記録パワーに対応したアシンメトリ値は、２Ｔβ＝＋０．０１であり、その時の記録パワー値（１０．５ｍＷ）が最適記録パワー値として選定される。なお、図１４には、性能の確認のために測定されたＰＲＳＮＲの結果も合わせて示される。【００６５】
選定された記録時のパワーにてその性能を測定したところ、ＰＲＳＮＲは３２程度、８ブロック積算におけるブロックエラー数の平均値ＰＩＳＵＭ８は１０程度であり、十分な性能となるように調整できたことが確認された。なお、３Ｔに対応したアシンメトリ値３Ｔβ＝＋０．００８の時を選択したとしても同様の結果を得ることができた。以上により記録時の光照射パワーが高速、高精度に調整され、本発明の情報記録再生装置及び光照射パワーの調整方法の有効性が確認された。【００６６】
図面を参照して、本発明の第２の実施の形態が説明される。第２の実施の形態に係る情報記録再生装置は、第１の実施の形態に係る情報記録再生装置と同じ構成であり、装置構成の説明は省略される。また、情報記録再生装置の動作は、図１５Ａ〜１５Ｃに示されるように、記録パワーの決定ステップＳ３００における処理が異なる。同じ処理には同じ符号を付し、その詳細な説明は省略される。【００６７】
情報記録再生装置における光ディスク１０の記録時の光照射パワーの調整方法では、図１５Ａに示されるように、各種情報を読み込むステップＳ１００、バイアスパワーの決定ステップＳ２００、記録パワーの決定ステップＳ３００、記録時最適光照射パワーを決定するステップＳ４００の順に処理が行われる。各種情報を読み込むステップＳ１００及びバイアスパワーの決定ステップＳ２００では、第１の実施の形態と同じ処理が行われる。【００６８】
情報記録再生装置は、光ディスク１０が装填されると、媒体の種類及びディスクＩＤを判別する。その後、情報記録再生装置は、光照射パワー等の各種パラメータを自由に調整することができる媒体のドライブテストゾーンに光ヘッド部２０を移動し、使用可能な領域を検出する（ステップＳ１００）。【００６９】
情報記録再生装置は、個別のディスクＩＤに対応する推奨記録パワー値と推奨バイアスパワー値とを情報として保持している。情報記録再生装置は、まず、ディスクＩＤに基づいて選択した推奨記録パワーに固定する（ステップＳ２１０）。その状態において、情報記録再生装置は、ディスクＩＤに基づいて選択した推奨バイアスパワーを中心値としてバイアスパワーを変えつつ記録する（ステップＳ２２０）。その後、情報記録再生装置は、記録した領域を再生し、２Ｔに対応したアシンメトリ値２Ｔβを測定する（ステップＳ２３０）。その測定した結果が図１６に示される。【００７０】
バイアスパワー決定部３６は、このアシンメトリ値の最大値又は最小値を求め、その最大値又は最小値に対応するバイアスパワーの値を選定する。または、バイアスパワー決定部３６は、このアシンメトリ値の増加量又は減少量が変化する点に対応するバイアスパワーの値を求める（ステップＳ２４０）。ここでは、図１６に示されるように、アシンメトリ値が最小となるバイアスパワーＰｂである４．０ｍＷが求められる。バイアスパワー決定部３６は、ステップＳ２４０において選定したバイアスパワー値を最適バイアスパワー値として設定する（ステップＳ２５０）。【００７１】
次に、情報記録再生装置は、最適な記録パワーを決定する。記録パワーを決定するとき、バイアスパワーは、バイアスパワー決定ステップＳ２００において決定された最適バイアスパワー値（４．０ｍＷ）に固定される（ステップＳ３１０）。バイアスパワーが固定された状態で、記録パワーを変化させながら記録が行われる（ステップＳ３３０）。記録が完了すると、その領域を再生し、信号品質測定部３４は、再生信号の信号品質値を算出する（ステップＳ３６０）。品質指標は、ＰＲＳＮＲまたはエラーレート、ＰＩエラー数等の指標で媒体の性能を示す指標とする。その測定した結果が図１７に示される。ここでは、ＰＲＳＮＲを信号品質として測定が行われた。【００７２】
記録パワー決定部３８は、再生信号の信号品質が最良になるときの信号を記録した記録パワーを特定する（ステップＳ３８０）。図１７では、記録パワーＰｗが１１ｍＷのとき、ＰＲＳＮＲが最大となり、最適記録パワー値は、１１ｍＷであることが分かる。即ち、記録時の光照射パワーは、記録パワー値が１１ｍＷ、バイアスパワー値が４ｍＷと設定される。記録パワー決定部３８は、ステップＳ３８０において特定された記録パワー値を最適記録パワーとして設定する（ステップＳ３９０）。【００７３】
記録時最適光照射パワーを決定するステップＳ４００では、このように求められた最適バイアスパワー値及び最適記録パワー値が、光ディスク１０における記録時最適光照射パワーとしてＬＤ駆動部７に設定され、以降の記録時に適用される。なお、このときの信号品質として、ＰＲＳＮＲ＝３３程度が得られた。【００７４】
図面を参照して、本発明の第３の実施の形態が説明される。第３の実施の形態に係る情報記録再生装置は、第１の実施の形態に係る情報記録再生装置と同じ構成であり、装置構成の説明は省略される。また、情報記録再生装置の動作は、図１８Ａ〜１８Ｃに示されるように、記録パワーの決定ステップＳ３００における処理が異なる。同じ処理には同じ符号を付し、その詳細な説明は省略される。【００７５】
情報記録再生装置における光ディスク１０の記録時の光照射パワーの調整方法では、図１８Ａに示されるように、各種情報を読み込むステップＳ１００、バイアスパワーの決定ステップＳ２００、記録パワーの決定ステップＳ３００、記録時最適光照射パワーを決定するステップＳ４００の順に処理が行われる。各種情報を読み込むステップＳ１００及びバイアスパワーの決定ステップＳ２００では、第１の実施の形態と同じ処理が行われる。したがって、最適バイアスパワー値が決定されて、図１８Ｃに示される記録パワーの決定ステップＳ３００が開始される。【００７６】
バイアスパワーは、バイアスパワー決定ステップＳ２００において決定された最適バイアスパワー値に固定される（ステップＳ３１０）。記録パワー値は、換算表に基づいて決定される。換算表は、図１９に示されるように、換算率をディスクＩＤに関連付けて保持している。換算率は、光ディスクの各々に対して予め校正されている。したがって、装填されている媒体のディスクＩＤが判明すると、換算表の換算値と、バイアスパワー決定ステップＳ２００において決定された最適バイアスパワー値とにより記録パワー値が算出できる。即ち、最適バイアスパワー値に換算率を乗じて記録パワーが算出される（ステップＳ３２０）。なお、図１９には、換算率のほかに、バイアスパワーと換算率とにより記録パワーを算出した例が示されている。【００７７】
記録時最適光照射パワーを決定するステップＳ４００では、このように求められた最適バイアスパワー値及び換算記録パワー値が、光ディスク１０における記録時最適光照射パワーとしてＬＤ駆動部７に設定され、以降の記録時に適用される。【００７８】
上述の調整方法における測定結果を説明する。光ディスク１０として、直径１２０ｍｍ、０．６ｍｍ厚のポリカーボネイト基板上に、イングルーブフォーマット用の案内溝を設けられた媒体が使用された。記録されるデータの密度は、ビットピッチが０．１５３μｍ、トラックピッチが０．４μｍである。記録膜には１回だけ記録が可能なタイプの媒体であり、短波長対応の無機材料記録膜を備えるディスク媒体（Ｈ／Ｌ媒体）が使用された。【００７９】
情報記録再生装置は、光ディスク１０が装填されると、媒体の種類及びディスクＩＤを判別する。ここでは、例えば、ＡというディスクメーカのＨ／Ｌ媒体のＤｉｓｋＡ−２と判別したものとする。その後、情報記録再生装置は、光照射パワー等の各種パラメータを自由に調整することができる媒体のドライブテストゾーンに光ヘッド部２０を移動し、使用可能な領域を検出する。【００８０】
情報記録再生装置は、個別のディスクＩＤに対応する推奨記録パワー値と推奨バイアスパワー値とを情報として保持している。情報記録再生装置は、その中からＤｉｓｋＡ−２に対応する推奨記録パワー値を選択し、記録パワーとして固定する。情報記録再生装置は、同じく保持している推奨バイアスパワーに関する情報からＤｉｓｋＡ−２に対応するバイアスパワー値を選択する。情報記録再生装置は、そのバイアスパワー値を中心として、バイアスパワーを変化させながら記録する。その後、情報記録再生装置は、記録した領域を再生し、アシンメトリ値を測定する。測定した結果が図２０に示される。図２０に示されるように、バイアスパワーが３．７ｍＷのとき、アシンメトリ値が最大となるため、最適バイアスパワー値は、３．７ｍＷと選定される。図１９に示される換算表からＤｉｓｋＡ−２に対応する換算率により、記録パワー値は９．７ｍＷと算出される。【００８１】
即ち、記録時の光照射パワーは、記録パワー値が９．７ｍＷ、バイアスパワー値が３．７ｍＷと設定される。このときの信号品質として、８ＥＣＣブロック積算におけるブロックエラー数の平均値ＰＩＳＵＭ８は約２０程度となり、記録再生性能として問題ないことが確認された。以上のように、記録時の光照射パワーが高速、高精度に調整され、本発明の情報記録再生装置及び光照射パワーの調整方法の有効性が確認された。【００８２】
図面を参照して、本発明の第４の実施の形態が説明される。第４の実施の形態に係る情報記録再生装置は、第１の実施の形態に係る情報記録再生装置と同じ構成であり、装置構成の説明は省略される。【００８３】
まず、各種情報を読み込むステップＳ１００において、次の情報も読み込まれている。即ち、光ディスクのフォーマット、ディスクメーカ、マーク部分の極性（Ｌ／Ｈ媒体、Ｈ／Ｌ媒体）、光照射パワーに関する情報、さらに、アシンメトリ値の最大値又は最小値からの補正値情報等が、システムコントローラ５に読み込まれる。【００８４】
図２１は、そのアシンメトリ値の最大値又は最小値からの補正値情報を含む換算表の一例である。この補正値情報は、アシンメトリ値の最大値又は最小値と最良となる値との差分が予め求められ、ディスクＩＤに関連付けて示されている。補正値情報は、再生信号の性能がアシンメトリの最大又は最小からずれたバイアスパワーの方がよくなる媒体の場合に有効となる。【００８５】
ステップＳ２４０において、アシンメトリ値の最大又は最小に対応するバイアスパワーが求められる。ステップＳ２５０において、そのバイアスパワーに基づいて、補正が行われる。図２１に示されるように、補正値情報を含む換算表には、アシンメトリ値が最大または最小のときのバイアスパワー値と、再生信号が最良品質となるバイアスパワー値との差分が示されている。例えば、ディスクＩＤがＤｉｓｋＣ−１の場合、補正値として“ＭＡＸ−０．５”が与えられる。したがって、最適バイアスパワー値は、アシンメトリ値が最大となるバイアスパワー値から０．５ｍＷ減算されて求まる。同じように、ディスクＩＤがＤｉｓｋＤ−１であれば、最適バイアスパワー値は、アシンメトリ値が最小となるバイアスパワー値に０．５ｍＷ加算されて求まる。なお、換算率によって記録パワーを算出する時のバイアスパワーは、補正前のバイアスパワー値としてもよいし、補正後のバイアスパワー値としてもよい。図２１においては、補正前のバイアスパワーに対する換算率とした。また、補正後のバイアスパワー値も合わせて示される。なお、補正値は、例えば、ＭＡＸ×０．９５、ＭＩＮ×１．１５というように、比率で与えられてもよい。【００８６】
上述の調整方法における測定結果を説明する。光ディスク１０として、直径１２０ｍｍ、０．６ｍｍ厚のポリカーボネイト基板上に、イングルーブフォーマット用の案内溝が設けられた媒体が使用された。記録されるデータの密度は、ビットピッチが０．１５３μｍ、トラックピッチが０．４μｍである。記録膜には１回だけ記録が可能なタイプの媒体であり、短波長対応の無機材料記録膜を備えるディスク媒体（Ｈ／Ｌ媒体）が使用された。【００８７】
情報記録再生装置は、光ディスク１０が装填されると、媒体の種類及びディスクＩＤを判別する。ここでは、例えば、ＣというディスクメーカのＨ／Ｌ媒体のＤｉｓｋＣ−１と判別したものとする。その後、情報記録再生装置は、光照射パワー等の各種パラメータを自由に調整することができる媒体のドライブテストゾーンに光ヘッド部２０を移動し、使用可能な領域を検出する。【００８８】
情報記録再生装置は、個別のディスクＩＤに対応する推奨記録パワー値と推奨バイアスパワー値とを情報として保持している。情報記録再生装置は、その中からＤｉｓｋＣ−１に対応する推奨記録パワー値を選択し、記録パワーとして固定する。情報記録再生装置は、同じく保持している推奨バイアスパワーに関する情報からＤｉｓｋＣ−１に対応するバイアスパワー値を選択する。情報記録再生装置は、そのバイアスパワー値を中心として、バイアスパワーを変化させながら記録する。その後、情報記録再生装置は、記録した領域を再生し、アシンメトリ値を測定する。測定した結果が図２２に示される。図２２に示されるように、バイアスパワーが４．５ｍＷのとき、アシンメトリ値が最大となる。図２１に示されるように、補正値としてＭＡＸ−０．５が指定されているため、最適バイアスパワー値は、４．０ｍＷと算出される。なお、図２２には、２Ｔアシンメトリ値のほかに３Ｔアシンメトリ値も示されている。３Ｔアシンメトリ値であっても、同じくバイアスパワーが４．５ｍＷにおいて、アシンメトリ値が最大となっていることが確認できる。【００８９】
次に、情報記録再生装置は、バイアスパワーを補正後の４．０ｍＷに固定し、記録パワーを変えつつ記録する。記録した領域を再生し、アシンメトリ値が測定される。図２１に示されるように、ＤｉｓｋＣ−１の目標βは、０．０１であるから、アシンメトリ値が０．０１となる記録パワー８．６ｍＷが選択される。なお、性能を確認するため、記録パワーを変えつつ記録及び再生した時のアシンメトリ値とＰＲＳＮＲ値とを測定した結果が図２３に示される。記録パワーが８．６ｍＷのときに、ＰＲＳＮＲが最も高くなっていることが確認された。また、この調整された記録時光照射パワーを設定し、ＰＩエラーを指標として性能確認を実施したところ、８ＥＣＣブロック積算におけるブロックエラー数の平均値ＰＩＳＵＭ８は約１５程度となり、記録再生性能として問題ないことが確認された。【００９０】
なお、バイアスパワーの補正の有無を比較するために、バイアスパワーをアシンメトリ値が最大となるバイアスパワー４．５ｍＷにて記録パワーを変えつつ記録を行い、記録した領域を再生し、ＰＲＳＮＲとアシンメトリ値を測定した結果が図２４に示される。このとき最良となるＰＲＳＮＲは２２となり、性能としては問題ないが、その値は、図２３に比べて低く、必ずしも最良の性能となっていないことが確認できる。以上のように、記録時の光照射パワーが高速、高精度に調整され、本発明の情報記録再生装置及び光照射パワーの調整方法の有効性が確認された。【００９１】
図面を参照して、本発明の第５の実施の形態が説明される。第５の実施の形態では、装填された光ディスク１０が、各種情報を読み込むステップＳ１００においてディスクＩＤの判別ができない未知ディスク（ｕｎｋｎｏｗｎディスク）である場合について示される。この未知ディスクには、情報記録再生装置が想定していない光ディスク、例えば、情報記録再生装置が出荷される時点において市場に出回っていない光ディスクも含まれる。【００９２】
光ディスクが情報記録再生装置に装填され、各種情報を読み込むステップＳ１００において、システムコントローラ５は各種情報を読み込む。ここでは、読み込んだ情報から、光ディスク１０は、ディスクメーカの判定が不可能であるが、Ｌ／Ｈ極性の記録層が単層で、イングルーブフォーマット用の案内溝が設けられたライトワンス媒体であることが判明したものとする。【００９３】
情報記録再生装置は、ドライブテストゾーンに光ヘッドを移動してテストに使用可能な領域を検出し、テストデータを記録する。このときの記録パワーは、情報記録再生装置が保持するＬ／Ｈ媒体用の平均的な記録パワーに固定される。また、バイアスパワーは、情報記録再生装置が保持するＬ／Ｈ媒体用の平均的なバイアスパワーを中心として変化させる。記録が終了すると、情報記録再生装置は、記録した領域を再生し、アシンメトリ値を測定する。測定結果は図示しないが、このとき、アシンメトリ値が最小となるバイアスパワーは３．８ｍＷとなった。【００９４】
次に、バイアスパワーを３．８ｍＷとして、Ｌ／Ｈ媒体用の平均的な記録パワーを中心に記録パワーを±２０％の範囲を５％ステップ幅で変えて記録する。その後、情報記録再生装置は、記録した領域を再生し、信号品質を測定した。このときの性能指標はＰＲＳＮＲとした。記録パワーが１０．５〜１１ｍＷにおいて、ＰＲＳＮＲが最大となり、一般的に用いられるピーク値検出アルゴリズムを用い、記録パワーは１０．８ｍＷと算出された。ＰＩによる性能確認のため、得られた記録時光照射パワーにて記録を行い再生し、ＰＩエラー数を測定したところ、８ブロック積算におけるブロックエラー数の平均値ＰＩＳＵＭ８は３０となった。【００９５】
性能的に問題はないが、念のため、ＰＲＳＮＲを指標に記録パワーを一定とし、再度バイアスパワーを変更しつつ記録を行い、記録した領域を再生した。なお、バイアスパワーは３．８ｍＷを中心として±０．５ｍＷを０．２ｍＷ刻みにて行った。ＰＲＳＮＲはバイアスパワー３．８ｍＷにて最良となっており、これ以上に媒体の性能を引き出すことはできないと判定し調整を終了した。なお、この時２Ｔアシンメトリβの値はゼロであり、装置が調整した調整情報として媒体のドライブテストゾーンに装置識別記号（ＩＤ）と共に記録をした。以上により記録時の光照射パワーが高精度に調整され、本願発明の装置及び調整方法の有効性が確認された。【００９６】
本発明は、波長４０５ｎｍ、ＮＡ０．６５に限定されることなく、あらゆる波長、およびＮＡにて構成される装置に適応可能である。記録時波形に関し、マークに対応した記録パワーが複数のレベルを持つ場合、記録パワーの調整では、マークに相当する部分の記録に関わるパワーということであり、例えば、記録ピークパワー、その次の大きさの記録パワーとの大きさ比を一定にして調整するとしてもよいし、個別にパワーを変更するとしてもよい。なお、本発明が上記各実施の形態に限定されず、本発明の技術思想の範囲内において、各実施の形態は適宜変更され得ることは明らかである。【００９７】
本発明の光学的記録再生装置における記録時光照射パワー調整方法によれば、マークとスペースに応じて照射する光ビームの強度を記録パワー及びバイアスパワーを切り替えて照射することにより記録が行われ、記録パワー及びバイアスパワー双方の変化によって記録品質が変化するライトワンス記録媒体に対して、光ビーム照射により記録を行なう際の光照射パワーを高速かつ正確に調整できる。【００９８】
これは記録されるマークの大きさによらず（正確な記録パワーでなくても）、スペース部に対応するバイアスパワーによってスペース部の反射率が特定の温度を境界に変化する割合や変化の方向が、記録したパターン列を再生した時の振幅変化としてあらわれ、結果としてアシンメトリが変化する現象を利用するからである。従って、記録に関連するパワーの調整に全てのパワーの組み合わせを記録、再生して調整するのに比し調整時間を大幅に短縮できる効果を有する。さらに調整領域の消費を抑えることができるという効果も有する。【００９９】
また、マークとスペースに応じて照射する光ビームの強度を記録パワー及びバイアスパワーを切り替えて照射することにより記録が行われ、記録パワー及びバイアスパワー双方の変化によって記録品質が変化するライトワンス記録媒体に対して、バイアスパワー、記録パワーの選定の双方に対して、共通の指標（アシンメトリ）にて調整が可能になる。これにより、異なる尺度を用いるような煩雑な処理を行う必要がなくなり、様々な装置資源を低減でき、コスト削減が可能となる。加えてアシンメトリ値測定回路をアナログ回路のみで構成した場合、その測定値は、傷、欠陥、埃などによる特性変動を起こしにくく、性能測定の安定度が増すという利点もある。【０１００】
さらに、媒体を製造するメーカが爆発的に増加し、装置での対応（媒体に対する個別の調整値を実装して対応する）が追いつかない現状を鑑みると、性能に関与するパラメータの調整を速く、確度よくできることは、様々な媒体に対応が可能となることにつながり、ユーザの利便性をあげ、高い信頼性を確保できるという効果も有する。特に、未知なるディスクにて、最適パワーに対応するアシンメトリ値の情報がない場合にその効果は大きい。
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2008096629.tif 000003
【図２】
2008096629.tif 000004
【図３】
2008096629.tif 000005
【図４】
2008096629.tif 000006
【図５】
2008096629.tif 000007
【図６】
2008096629.tif 000008
【図７】
2008096629.tif 000009
【図８】
2008096629.tif 000010
【図９】
2008096629.tif 000011
【図１０】
2008096629.tif 000012
【図１１】
2008096629.tif 000013
【図１２】
2008096629.tif 000014
【図１３】
2008096629.tif 000015
【図１４】
2008096629.tif 000016
【図１５】
2008096629.tif 000017
【図１６】
2008096629.tif 000018
【図１７】
2008096629.tif 000019
【図１８】
2008096629.tif 000020
【図１９】
2008096629.tif 000021
【図２０】
2008096629.tif 000022
【図２１】
2008096629.tif 000023
【図２２】
2008096629.tif 000024
【図２３】
2008096629.tif 000025
【図２４】
2008096629.tif 000026
【図２５】
2008096629.tif 000027
【国際調査報告】
2008096629.tif 000028
2008096629.tif 000029